(57)【要約】  【課題】  装置が起動完了までの待ち時間及び動作停止までの待ち時間であることをユーザが容易に確認できるようにする。  【解決手段】  プロジェクタ装置１は、天板１ａに透明部４ａ〜４ｄを設けたリング状の操作キー４を取り付け、各透明部４ａ〜４ｄに対応する箇所に発光部２ａ〜２ｄを配置する。電源ボタン６がオンされるとプロジェクタ装置１が起動完了になるまで各発光部２ａ〜２ｄを時計回りに順次点灯させる。また、電源ボタン６がオフされるとプロジェクタ装置１が動作停止できる状態になるまで各発光部２ａ〜２ｄを反時計回りに点灯させる。各発光部２ａ〜２ｄの発光形態により、プロジェクタ装置１の現在の状態がユーザに伝えられる。【選択図】        図１
2005195970.tif 000002
【特許請求の範囲】
【請求項１】
受電開始に係る操作の受け付けから起動完了まで待ち時間を有する電気機器において、
環状を形成するように配置してある３個以上の発光部と、
受電開始に係る操作を受け付けた場合、各発光部を時計回りに又は反時計回りに順次発光させる発光点灯手段と、
起動完了か否かを検知する起動検知手段と、
該起動検知手段が起動完了を検知した場合、前記発光点灯手段による各発光部の発光を停止する発光停止手段と
を備えることを特徴とする電気機器。
【請求項２】
機器の動作停止に係る操作の受け付けから動作停止まで待ち時間を有する電気機器において、
環状を形成するように配置してある３個以上の発光部と、
動作停止に係る操作を受け付けた場合、各発光部を時計回りに又は反時計回りに順次発光させる発光点灯手段と、
動作停止できる状態になったか否かを検知する停止検知手段と、
該停止検知手段が動作停止できる状態になったことを検知した場合、前記発光点灯手段による各発光部の発光を停止する発光停止手段と
を備えることを特徴とする電気機器。
【請求項３】
受電開始に係る操作の受け付けから起動完了まで待ち時間を有すると共に、機器の動作停止に係る操作の受け付けから動作停止まで待ち時間を有する電気機器において、
環状を形成するように配置してある３個以上の発光部と、
受電開始に係る操作を受け付けた場合、各発光部を時計回りに又は反時計回りに順次発光させる発光点灯手段と、
起動完了か否かを検知する起動検知手段と、
該起動検知手段が起動完了を検知した場合、前記発光点灯手段による各発光部の発光を停止する発光停止手段と、
動作停止できる状態になったか否かを検知する停止検知手段と
を備え、
前記発光点灯手段は、動作停止に係る操作を受け付けた場合、各発光部を反時計回りに又は時計回りに順次発光させる手段を備え、
前記発光停止手段は、前記停止検知手段が動作停止できる状態になったことを検知した場合、前記発光点灯手段による各発光部の発光を停止する手段を備えることを特徴とする電気機器。
【請求項４】
動作状況に応じて前記発光点灯手段による各発光部の発光時間を変更する時間変更手段を更に備える請求項１乃至請求項３のいずれか１つに記載の電気機器。
【請求項５】
機器内部冷却用のファンと、
該ファンの回転速度を設定する回転速度設定手段と
を更に備え、
前記時間変更手段は、前記回転速度設定手段が設定するファンの回転速度に対応させて各発光部の発光時間を変更する手段を備える請求項４に記載の電気機器。
【請求項６】
動作状況に応じて前記各発光部の発光照度を変更する照度変更手段を更に備える請求項１乃至請求項５のいずれか１つに記載の電気機器。
【請求項７】
光源用のランプと、
該ランプの照度を設定する照度設定手段と
を更に備え、
前記照度変更手段は、前記照度設定手段が設定したランプの照度に対応させて発光照度を変更する手段を備える請求項６に記載の電気機器。
【請求項８】
前記各発光部は、発光色を切り替えることが可能であり、
動作状況に応じて前記各発光部の発光色を変更する発光色変更手段を更に備える請求項１乃至請求項７のいずれか１つに記載の電気機器。
【請求項９】
動作状況に応じて前記各発光部の全て又はいずれかを点滅発光させる点滅発光手段を更に備える請求項１乃至請求項８のいずれか１つに記載の電気機器。
【請求項１０】
発光部毎に操作手段が夫々付設してある請求項１乃至請求項９のいずれか１つに記載の電気機器。
【請求項１１】
前記請求項１乃至請求項１０のいずれか１つに記載の電気機器は、プロジェクタ装置であることを特徴とする電気機器。
【請求項１２】
環状を形成するように配置してある３個以上の発光部と、
動作状況に応じて前記発光部を時計回りに又は反時計回りに順次発光させる発光点灯手段と
を備えることを特徴とするプロジェクタ装置。
【発明の詳細な説明】
【技術分野】
【０００１】
本発明は、３個以上の発光部の発光形態により、起動完了に係る待ち時間、動作停止に係る待ち時間及び動作状況を外部へ伝えるようにした電気機器及びプロジェクタ装置に関する。
【背景技術】
【０００２】
従来、電源スイッチ／電源ボタンをオンしてから機器本来の作動が可能となる起動完了まで数秒又は数十秒の待ち時間を必要とする電気機器が存在し、また、電源スイッチ／電源ボタンをオフしてから受電が遮断されて機器の動作が停止するまで数秒又は数十秒の待ち時間を必要とする電気機器も存在する。このような電気機器としては、プロジェクタ装置（投影装置）、パーソナルコンピュータ、デジタルカメラのような撮像装置及びオーディオ／ビジュアル装置等が該当する。
【０００３】
一方、従来の電気機器には動作状況及び異常発生等を示すために液晶等で形成された表示部又は表示点灯部を備えるものがある。例えば、液晶表示部を備えたＣＤプレーヤ装置では、現在の再生状態が通常再生であるか、ランダム再生であるか等を液晶表示部で表示するものがある。また、ビデオテープレコーダでは発光ダイオード等の発光素子を備える表示点灯部を複数配置し、各表示点灯部の表示形態により再生モード、録画モード、早送りモード及び巻戻しモード等の各種動作状況を表現するものがある（特許文献１参照）。
【０００４】
さらに、プロジェクタ装置では、液晶表示部及び表示点灯部を設ける代わりに、動作状況及びメニュー内容等を外部に設けたスクリーンに投映することで、装置の動作状況及びメニュー内容等をユーザが確認できるようにしているものが多い。
【特許文献１】特開昭５９−１３２４３９号公報
【発明の開示】
【発明が解決しようとする課題】
【０００５】
起動完了又は動作停止になるまで待ち時間を必要とする電気機器では、現在の機器の状態が待ち状態であるかをユーザに伝えられない機器も存在するため、このような電気機器の特性に慣れていないユーザに対し電気機器への不安感を抱かせるおそれ又は電気機器が故障したと誤認させるおそれが生じる。
【０００６】
また、液晶表示部を備える電気機器では、一般に液晶表示部の寸法が小型であるため、機器から離れた箇所及び機器に対して斜めの方向から液晶表示部を視認するのが困難となり、電気機器がどのような状態であるかを常に確認できにくい問題がある。さらに、液晶表示部は発光ダイオードのような発光素子を有する表示点灯部に比べてコストが高いため、液晶表示部を適用しにくいと云う問題もある。さらに、また、上述したビデオテープレコーダのように表示点灯部を備える電気機器では、表示点灯部で現状の動作状況を表示するに留まるため、電気機器が起動完了又は動作停止になるまでの待ち状態であるかをユーザへ確実に伝えられないと云う問題がある。
【０００７】
また、従来のプロジェクタ装置も、電源ボタンをオンしてから光源のランプが所要の光量を発するまで所要の待ち時間がかかり、この状態ではスクリーンに何も投映されないため、現在のプロジェクタ装置状態が投映可能になるまでの待ち状態であることをユーザに伝えられない問題がある。さらに、従来のプロジェクタ装置は、電源ボタンをオフしても、光源のランプが高温であるとファンの回転により冷却する仕様となっており、このように電源をオフしてもファンが回転している状態では上記と同様にスクリーンには何も投映されないため、現在のプロジェクタ装置の状態がランプを冷却するまでの待ち時間であることをユーザに伝える手段が無いと云う問題がある。
【０００８】
また、従来のプロジェクタ装置には、ファンの回転速度を冷却時間の短さを優先した高速回転モードと回転速度を抑えて回転に係る騒音低減を優先した静音回転モードとのいずれかに設定可能としたものも存在し、このようなプロジェクタ装置では一旦電源ボタンをオフすると、いずれのモードに設定したかをユーザが確認できない問題がある。特に、会議でプロジェクタ装置を使用する場合又は可搬型のプロジェクタ装置を使用後に移動させる場合等では、騒音の大小又は冷却に係る時間の長短は重要となるため、いずれのモードに設定したかを確認できないと云う問題は深刻になる。
【０００９】
本発明は、斯かる問題に鑑みてなされたものであり、環状となるように３個以上の発光部を配置すると共に、各発光部を起動完了に係る待ち状態、動作停止に係る待ち状態、動作状態に応じて時計回り又は反時計回りに順次発光させることにより、ユーザが一目で現在の状態を確認できるようにした電気機器及びプロジェクタ装置を提供することを目的とする。
また、本発明は、各発光部の発光時間、発光照度、発光色、点滅発光と云った発光形態を動作状況に応じて適宜変更することにより、様々な動作状況を発光部の発光形態によりユーザが容易に把握できるようにした電気機器を提供することを目的とする。
【課題を解決するための手段】
【００１０】
上記課題を解決するために本発明の電気機器は、受電開始に係る操作の受け付けから起動完了まで待ち時間を有する電気機器において、環状を形成するように配置してある３個以上の発光部と、受電開始に係る操作を受け付けた場合、各発光部を時計回りに又は反時計回りに順次発光させる発光点灯手段と、起動完了か否かを検知する起動検知手段と、該起動検知手段が起動完了を検知した場合、前記発光点灯手段による各発光部の発光を停止する発光停止手段とを備えることを特徴とする。
【００１１】
本発明にあっては、受電開始に係る操作としてユーザにより電気機器の電源スイッチ／電源ボタンをオンする操作が行われると、環状を形成するように配置した３個以上の発光部が、電気機器の起動完了まで時計回りに又は反時計回りに順次発光するようになる。その結果、各発光部が回るように発光している発光形態により、ユーザは一目で現在の電気機器の状態は起動完了までの待ち状態であることを確認できるようになる。
【００１２】
また、本発明の電気機器は、機器の動作停止に係る操作の受け付けから動作停止まで待ち時間を有する電気機器において、環状を形成するように配置してある３個以上の発光部と、動作停止に係る操作を受け付けた場合、各発光部を時計回りに又は反時計回りに順次発光させる発光点灯手段と、動作停止できる状態になったか否かを検知する停止検知手段と、該停止検知手段が動作停止できる状態になったことを検知した場合、前記発光点灯手段による各発光部の発光を停止する発光停止手段とを備えることを特徴とする。
【００１３】
本発明にあっては、機器の動作停止に係る操作としてユーザにより電源スイッチ／電源ボタンのオフに係る操作が行われると、環状を形成するように配置した３個以上の発光部が、電気機器の動作が停止できる状態になるまで時計回りに又は反時計回りに順次発光するので、ユーザは一目で電気機器が動作停止までの待ち状態であると確認できるようになる。
【００１４】
さらに本発明の電気機器は、受電開始に係る操作の受け付けから起動完了まで待ち時間を有すると共に、機器の動作停止に係る操作の受け付けから動作停止まで待ち時間を有する電気機器において、環状を形成するように配置してある３個以上の発光部と、受電開始に係る操作を受け付けた場合、各発光部を時計回りに又は反時計回りに順次発光させる発光点灯手段と、起動完了か否かを検知する起動検知手段と、該起動検知手段が起動完了を検知した場合、前記発光点灯手段による各発光部の発光を停止する発光停止手段と、動作停止できる状態になったか否かを検知する停止検知手段とを備え、前記発光点灯手段は、動作停止に係る操作を受け付けた場合、各発光部を反時計回りに又は時計回りに順次発光させる手段を備え、前記発光停止手段は、前記停止検知手段が動作停止できる状態になったことを検知した場合、前記発光点灯手段による各発光部の発光を停止する手段を備えることを特徴とする。
【００１５】
本発明にあっては、環状を形成するように配置した３個以上の発光部が、受電開始に係る操作を受け付けた場合と、機器の動作停止に係る操作を受け付けた場合とに対し夫々相違する方向へ順次発光するので、各発光部が発光していく方向により、現状が起動完了までの待ち状態か、又は動作停止になるまでの待ち状態であるかをユーザが容易に把握できるようになる。
【００１６】
本発明の電気機器は、動作状況に応じて前記発光点灯手段による各発光部の発光時間を変更する時間変更手段を更に備えることを特徴とする。
本発明にあっては、各発光部の発光時間を電気機器の動作状況に応じて変更するため、各発光部の発光が順次回っていく速度を変更できるようになる。その結果、各発光部の発光に係る表現形態を豊富にできる。
【００１７】
また、本発明の電気機器は、機器内部冷却用のファンと、該ファンの回転速度を設定する回転速度設定手段とを更に備え、前記時間変更手段は、前記回転速度設定手段が設定するファンの回転速度に対応させて各発光部の発光時間を変更する手段を備えることを特徴とする。
本発明にあっては、各発光部の発光時間をファンの回転速度に対応させて変更するため、ファンの回転状況を各発光部の発光が順次回っていく速度で表現できるようになる。その結果、特に、ファンの回転速度に係るモードを設定できるプロジェクタ装置のような機器に対し、どのような場合でもファンの回転状況を各発光部の発光形態でユーザが把握できるようになり好適である。
【００１８】
さらに、本発明の電気機器は、動作状況に応じて前記各発光部の発光照度を変更する照度変更手段を更に備えることを特徴とする。
本発明にあっては、各発光部の発光照度を電気機器の動作状況に応じて変更するため、各発光部の発光に係る表現形態を更に豊富にでき、様々な動作状況を各発光部の発光照度を変更して表現できるようになる。
【００１９】
さらに、また、本発明の電気機器は、光源用のランプと、該ランプの照度を設定する照度設定手段とを更に備え、前記照度変更手段は、前記照度設定手段が設定したランプの照度に対応させて発光照度を変更する手段を備えることを特徴とする。
本発明にあっては、各発光部の発光照度を光源用のランプの照度に対応させて変更するため、ランプの照度を各発光部の発光照度で表現できるようになる。その結果、プロジェクタ装置のように光源用のランプの照度を適宜切り替えるような機器では、各発光部の発光に係る照度でランプの照度をユーザが把握できるようになり好適である。
【００２０】
本発明の電気機器は、前記各発光部は、発光色を切り替えることが可能であり、動作状況に応じて前記各発光部の発光色を変更する発光色変更手段を更に備えることを特徴とする。
本発明にあっては、各発光部の発光色を電気機器の動作状況に応じて変更するため、各発光部の発光に係る表現形態を一段と豊富にでき、様々な動作状況を各発光部の発光色により伝えられるようになる。
【００２１】
また、本発明の電気機器は、動作状況に応じて前記各発光部の全て又はいずれかを点滅発光させる点滅発光手段を更に備えることを特徴とする。
本発明にあっては、各発光部の全て又はいずれかを電気機器の動作状況に応じて点滅発光させるため、各発光部の発光に係る表現形態を豊富にでき、様々な動作状況を各発光部の点滅発光に係る形態でユーザに伝えられる。
【００２２】
さらに、本発明の電気機器は、発光部毎に操作手段が夫々付設してあることを特徴とする。
本発明にあっては、発光部毎にユーザの操作を受け付けるスイッチ及びボタン等の操作手段が付設するので、発光部に関連させて操作手段を設けることができ、操作性が良好になるとと共に、操作部の配置スペースの効率化も図ることができる。
【００２３】
また、本発明の電気機器は、上記電気機器がプロジェクタ装置であることを特徴とする。
本発明にあっては、上述した電気機器をプロジェクタ装置にすることで、起動完了までの待ち状態、動作停止までの待ち状態等を、各発光部を発光させる方向で表現できるようになる。また、ファンの回転状況及びランプの照度と云った各種動作状況も各発光部の発光形態により表現できるようになり、スクリーンへ投映できない状態でもプロジェクタ装置の動作状況をユーザが容易に確認可能となる。
【００２４】
さらに、本発明のプロジェクタ装置は、環状を形成するように配置してある３個以上の発光部と、動作状況に応じて前記発光部を時計回りに又は反時計回りに順次発光させる発光点灯手段とを備えることを特徴とする。
本発明にあっては、プロジェクタ装置が環状を形成するように配置した３個以上の発光部を動作状況に応じて時計回り又は反時計回りに順次発光させるため、各発光部の発光が回っていく方向によりプロジェクタ装置の動作状況を表現できるようになる。
【発明の効果】
【００２５】
本発明にあっては、受電開始に係る操作を受け付けると、電気機器が起動完了になるまで各発光部を時計回りに又は反時計回りに順次発光するので、現在の機器の状態は起動完了に係る待ち時間であるか否かをユーザは一目で確認できる。
また、本発明にあっては、機器の動作停止に係る操作を受け付けると、電気機器が動作を停止するまで各発光部を時計回りに又は反時計回りに順次発光させるので、現在の機器の状態は動作停止に係る待ち時間であるか否かをユーザは容易に確認できる。
【００２６】
さらに、本発明にあっては、受電開始に係る操作を受け付けた場合と、動作停止に係る操作を受け付けた場合とでは、各発光部を順次発光させる方向を逆にするので、各発光部が発光する方向により現在の状態が起動完了に係る待ち時間か、動作停止に係る待ち時間であるかをユーザが容易に識別できる。
【００２７】
本発明にあっては、各発光部の発光時間を電気機器の動作状況に応じて変更するため、高価な液晶表示部を適用しなくても、各発光部の発光が順次回っていく速度により電気機器の動作状況を表現できる。
また、本発明にあっては、各発光部の発光時間をファンの回転速度に対応させて変更することにより、ファンの回転速度を各発光部の発光が順次回っていく状況でユーザに伝えられる。
【００２８】
本発明にあっては、各発光部の発光照度を電気機器の動作状況に応じて変更するため、各発光部の発光照度の程度により電気機器の様々な動作状況をユーザに伝えられる。
また、本発明にあっては、各発光部の発光照度を光源用のランプの照度に対応させて変更するため、ランプの照度を各発光部の発光照度でユーザに知らせることができる。
【００２９】
本発明にあっては、各発光部の発光色を電気機器の動作状況に応じて変更するため、各発光部の発光色により電気機器の動作状況を詳細に表現できる。
また、本発明にあっては、各発光部の全て又はいずれかを電気機器の動作状況に応じて点滅発光させるため、発光部の点滅発光により電気機器の動作状況を表現できる。
さらに、本発明にあっては、発光部毎に操作手段を付設しているので、電気機器に係る操作性を良好にできると共に操作に係るスペースを効率的に活用できる。
【００３０】
本発明にあっては、上述した電気機器をプロジェクタ装置にすることにより、スクリーンへ投映できない状態でも起動完了までの待ち時間、動作停止までの待ち時間等をユーザは各発光部の発光方向で確認できると共に、ファンの回転状況及びランプの照度と云った各種動作状況も各発光部の発光形態によりユーザは一目で把握できる。
また、本発明にあっては、プロジェクタ装置が環状を形成するように配置した３個以上の発光部を動作状況に応じて時計回り又は反時計回りに順次発光させるため、各発光部の発光が回っていく方向によりプロジェクタ装置の動作状況を表現できる。
【発明を実施するための最良の形態】
【００３１】
図１は、本発明の実施形態に係る電気機器に相当するプロジェクタ装置１の斜視図である。本実施形態のプロジェクタ装置１は直方体状の可搬タイプのものであり、筐体の周囲となる一側面１ｂにスクリーンへ向けてデータを投映するレンズ部９を設けると共に、筐体の天板１ａには決定ボタン５、電源ボタン６及びメニュー／ヘルプボタン７を設けている。また、プロジェクタ装置１は決定ボタン５の周囲にリング状の操作キー４を取り付けており、操作キー４は周方向に４等分した箇所に三角形の透明部４ａ〜４ｄを夫々設けている。なお、操作キー４は各透明部４ａ〜４ｄ付近を夫々押圧できるように天板１ａに取り付けられている。
【００３２】
さらに、プロジェクタ装置１は、操作キー４の裏側で各透明部４ａ〜４ｄに対応する装置内部の箇所に、第１発光部２ａ〜第４発光部２ｄ及び操作手段に相当する第１操作スイッチ３ａ〜第４操作スイッチ３ｄを配置している。詳しくは、各発光部２ａ〜２ｄは環状を形成するように各透明部４ａ〜４ｄに対応する箇所で中央の決定ボタン５寄りに配置されており、また、各操作スイッチ３ａ〜３ｄは各発光部２ａ〜２ｄに付設するように各透明部４ａ〜４ｄに対応する箇所で操作キー４の外周縁寄りに配置されている。
【００３３】
各発光部２ａ〜２ｄは、発光を行う発光素子として発光ダイオードを用いている。また、各操作スイッチ３ａ〜３ｄは、メニュー内容の選択、光源用のランプの照度調整、音量調整、及び外部入力の切替等に係るユーザからの操作を受け付ける。なお、プロジェクタ装置１は電源ボタン６の近傍に受電状態確認用の第１点灯部８ａ及び光源用のランプの温度状況を示す第２点灯部８ｂを設けている。
【００３４】
図２（ａ）は、図１のＡ−Ａ線断面における第３発光部２ｃ及び第３操作スイッチ３ｃの配置状況及び操作キー４の取付状況を示している。天板１ａの下方には所要の電気回路を形成して各種電気部品を取り付けた基板１０が配置されており、この基板１０に第３発光部２ｃ及び第３操作スイッチ３ｃが取り付けられている。なお、基板１０の決定ボタン５の下方となる箇所には決定ボタン５用のスイッチ１０ａも取り付けられている。第３発光部２ｃが上述したように位置することで、第３発光部２ｃの発光が操作キー４の透明部４ｃを通じて外部から視認できる。
【００３５】
また、操作キー４の第３操作スイッチ３ｃに対応する裏面には凸部４ｅを突出し、その先端を第３操作スイッチ３ｃの押し込み部３ｅに当接させている。よって、図２（ｂ）に示すように操作キー４の透明部４ｃ付近をユーザが指で押圧すると、第３操作スイッチ３ｃの押し込み部３ｅが凸部４ｅにより押し込まれ、第３操作スイッチ３ｃが操作される。なお、上述した操作キー４、第３操作スイッチ３ｃ及び第３発光部２ｃに係る構成は他の３箇所でも同様である。
【００３６】
図３は、本実施形態のプロジェクタ装置１の要部を示すブロック図である。プロジェクタ装置１は主要部分として、投映用のレンズ部９、光源用のランプ１３、ランプ１３及び装置内部の冷却用のファン１７、各種制御を行うシステムコントロール部２０、電源部２４、各発光部２ａ〜２ｄと接続されるＤ／Ａ変換部２５、システムコントロール部２０の制御内容を規定したプログラム及び制御処理に係るデータ等を記憶するメモリ部２６、及び投映するデータの入力対象を切り替える入力切替部２８等を備える。なお、プロジェクタ装置１は上述した以外にも、図示していないがリモコン受光部、データの音声増幅部及びスピーカ等を備える。
【００３７】
レンズ部９は、ズーム用レンズ９ａ及びフォーカス用レンズ９ｂを内蔵し、各レンズ９ａ、９ｂはズーム用モータ１１ａ及びフォーカス用モータ１１ｂの駆動により光軸方向に適宜移動可能にされている。また、各モータ１１ａ、１１ｂはモータ制御部１２に接続されており、モータ制御部１２はシステムコントロール部２０からの指示信号に基づき各モータ１１ａ、１１ｂの駆動を制御している。
【００３８】
ランプ１３は、システムコントロール部２０と接続されており、システムコントロール部２０からの指示信号に基づき点灯又は消灯を行う。また、ランプ１３は点灯に係る照度もシステムコントロール部２０により２段階で制御されている。なお、ランプ１３は点灯開始の指示を受け付けてからデータを投映できる照度になるまで数秒又は数十秒がかかり、この時間がプロジェクタ装置１において電源ボタン６をオンしてから起動が完了するまでの待ち時間に相当する。
【００３９】
また、ランプ１３には信号出力部１６が併設されており、信号出力部１６は起動検知手段としてランプ１３がデータを投映できる一定の照度（起動完了）になったか否かを検知し、一定の照度になったことを検知した場合、起動検知信号をシステムコントロール部２０へ送る処理を行う。さらに、信号出力部１６はランプ１３が点灯できないような異常も検知しており、異常を検知した場合、異常信号をシステムコントロール部２０へ送る処理も行う。
【００４０】
また、ランプ１３は点灯により高温となるため、消灯後も高温となったランプ１３を冷却するために、電源ボタン６をオフしても直ちに受電を遮断せずファン１７で冷却するようにしている。そのため、ランプ１３は、ファン１７の回転を停止できる状態（動作停止できる状態）になったか否かを検知するための停止検知手段として温度センサ１４を併設している。温度センサ１４は受電を遮断して動作を停止できるか否かを判断するため、ファン１７の冷却によりランプ１３が規定の温度まで低下したか検知し、規定の温度まで低下した場合、温度低下信号をＡ／Ｄ変換部１５を介してシステムコントロール部２０へ送る処理を行う。さらに、温度センサ１４は、ランプ１３の温度が規定以上の高温になった場合、高温通知信号をシステムコントロール部２０へ送る処理も行う。
【００４１】
なお、上述したようにプロジェクタ装置１はランプ１３を消灯した後もランプ１３が規定の温度に低下するまで数秒又は数十秒待つ必要があり、このように温度低下に係る時間が電源ボタン６をオフしてから動作が停止されるまでの待ち時間に相当する。
【００４２】
ファン１７は、ファン制御部１９により回転の開始／停止、及び回転速度が制御されている。また、本実施形態のプロジェクタ装置１は、ファン１７を高速で回転させる高速回転モードと、低速で回転させて回転に伴う騒音を低減した静音回転モードを切替可能にしている。また、ファン制御部１９はシステムコントロール部２０と接続されており、システムコントロール部２０の指示信号に基づきＰＷＭ（Pulse Width Modulation）方式でファン１７の回転状況を制御する。
【００４３】
さらに、ファン１７は、パルス信号出力部１８を併設しており、パルス信号出力部１８はファン１７の回転に係るパルス信号をシステムコントロール部２０へ送る処理を行う。よって、システムコントロール部２０は、ファン制御部１９へファン１７を回転させる指示信号を出力してもパルス信号出力部１８からパルス信号を受け取れないと、ファン１７にものが挟まるなどしてファン１７が回転できないこと又はファン１７自体が故障していることを検出できる。
【００４４】
また電源部２４は、外部の商用電源ＡＣと接続されて商用電源ＡＣから受けた電力を所要の電力形態に変換してプロジェクタ装置１の各部分へ供給するものである。なお、電源部２４は、プロジェクタ装置１が商用電源ＡＣと接続されている場合、待機電力の供給状態となり、システムコントロール部２０のみが動作できるようにしている。また、電源部２４は、受電開始に係る操作として電源ボタン６がオンされると、プロジェクタ装置１の各部が動作できるように各部へ電力を供給する処理を行い、装置の動作停止に係る操作として電源ボタン６がオフされると、システムコントロール部２０の制御に従いシステムコントロール部２０以外の各部への電力供給を停止する処理を行う。
【００４５】
さらに、Ｄ／Ａ変換部２５は、システムコントロール部２０から送られる指示信号に基づき各発光部２ａ〜２ｄへの発光用の出力を調整し、各発光部２ａ〜２ｄの点灯、点灯停止（消灯）、発光照度等の発光形態に係る処理を行うものである。
【００４６】
また、入力切替部２８は、第１入力端子２７ａ〜第３入力端子２７ｃと接続され、システムコントロール部２０の制御に基づき投映対象のデータの入力先を適宜切り替える処理を行う。なお、各入力端子２７ａ〜２７ｃに接続される外部の機器としてはパーソナルコンピュータ、ＤＶＤプレーヤ、デジタルビデオ装置、オーディオ装置等があり、プロジェクタ装置１は、上述した外部の機器が出力したデータをレンズ部９よりスクリーンへ投映する。
【００４７】
一方、システムコントロール部２０は、メイン制御部２１、入出力接続部２２及びタイマ部２３を備えている。メイン制御部２１にはマイクロコンピュータを用いており、メイン制御部２１はシステムコントロール部２０の内部で入出力接続部２２及びタイマ部２３と接続すると共に、システムコントロール部２０の外部に対してはモータ制御部１２、Ａ／Ｄ変換部１５、信号出力部１６、ファン制御部１９、電源部２４、Ｄ／Ａ変換部２５、メモリ部２６及び入力切替部２８と接続し、各部１２、１９、２４、２５、２８に対し指示信号を送ることで所要の制御を行う。
【００４８】
また、入出力接続部２２（General Port I/Oに相当）は、操作スイッチ３ａ〜３ｄ及び電源ボタン６が接続されており、各操作スイッチ３ａ〜３ｄ及び電源ボタン６が操作されると、操作されたオン／オフの状況をメイン制御部２１へ伝える処理を行う。なお、図３では図示していないが、図１に示す決定ボタン５及びヘルプ／メニューボタン７等も入出力接続部２２に接続されている。さらに、入出力制御部２２は、ランプ１３及びパルス信号出力部１８とも接続されており、ランプ１３の点灯に係る所要の指示信号をメイン制御部２１の指令に基づき出力すると共にパルス信号出力部１８からのパルス信号を受け付けてメイン制御部２１へ送る処理を行う。
【００４９】
次に、メイン制御部２１がメモリ部２６に記録されたプログラムに基づいて行う各発光部２ａ〜２ｄの発光形態に係る各種制御処理の内容を説明する。先ず、プロジェクタ装置１が待機電力供給状態のときにユーザにより電源ボタン６をオンする操作を受け付けると、メイン制御部２１は、各部へ電力を供給するように電源部２４を制御すると共に、ランプ１３を点灯させる指示信号をランプ１３へ出力する。さらに、メイン制御部２１は発光点灯手段として各発光部２ａ〜２ｂを時計回りに順次発光させる指示信号をＤ／Ａ変換部２５へ出力する処理を行う。
【００５０】
図４は、メイン制御部２１の発光点灯手段として処理により各発光部２ａ〜２ｂが点灯及び消灯する発光形態を示したタイムチャートであり、横軸は時間の経過を示す。具体的な発光形態は、最初に第１発光部２ａが一定時間点灯してから消灯すると同時に第２発光部２ｂが一定時間点灯する。また、第２発光部２ｂが消灯すると同時に第３発光部２ｃが一定時間点灯し、その後第３発光部２ｃが消灯すると同時に第４発光部２ｄが一定時間点灯する。その後は、第４発光部２ｄが消灯すると、再度第１発光部２ａが点灯し、以降、このような点灯及び消灯を各発光部２ａ〜２ｄは繰り返す。なお、各発光部２ａ〜２ｄを点灯させる時間はタイマ部２３が計測しており、メイン制御部２１はタイマ部２３の点灯時間の計測により点灯に係る回転状態の速度を制御している。
【００５１】
さらに、メイン制御部２１は、上述した点灯及び消灯に係る処理を行っている場合に、信号出力部１６から起動検知信号を受け取ると、図４に示す各発光部２ａ〜２ｄの発光（点灯）を停止する発光停止手段として機能する。
【００５２】
よって、本実施形態のプロジェクタ装置１は、図５に示すように、電源ボタン６がオンされてから起動完了するまでの待ち時間中、第１発光部２ａから第４発光部２ｄまでが順次発光するため、外部からは操作キー４の透明部４ａ〜４ｄが、まるで時計回りにクルクル回転するように点灯した状態となり、ユーザは一目で現在の装置状態が起動完了までの待ち状態（起動遷移状態）であることを直感的に認識できる。なお、プロジェクタ装置１は、起動が完了すると、メニュー画面等のデータをスクリーンへ投映する。
【００５３】
また、電源ボタン６がオンされて各部に電力が供給された状態でユーザによりプロジェクタ装置１が電源ボタン６をオフする操作を受け付けると、メイン制御部２１はランプ２１を消灯する制御を行うと共に、ファン１７を回転させる指示信号をファン制御部１９へ出力する。さらに、メイン制御部２１は発光点灯手段として各発光部２ａ〜２ｂを今度は反時計回りに順次発光させる指示信号をＤ／Ａ変換部２５へ出力する。
【００５４】
図６は、電源ボタン６のオフ時にメイン制御部２１の処理により各発光部２ａ〜２ｂが点灯及び消灯する発光形態を示すタイムチャートである。即ち、最初に第１発光部２ａが点灯してから消灯すると同時に第４発光部２ｄが点灯し、第４発光部２ｄが消灯すると同時に第３発光部２ｃが点灯し、第３発光部２ｃが消灯すると同時に第２発光部２ｂが点灯し、第２発光部２ｂが消灯すると、再度第１発光部２ａが点灯し、以降、このような点灯及び消灯を繰り返す状況を各発光部２ａ〜２ｄは繰り返す。
【００５５】
さらに、メイン制御部２１は発光停止手段の機能として、上述した点灯及び消灯に係る処理を行っている場合に、温度センサ１４からＡ／Ｄ変換部１５を介して温度低下信号を受け取ると、図６に示す各発光部２ａ〜２ｄの発光を停止する処理を行う。その結果、プロジェクタ装置１は、電源ボタン６がオフされてファン１７の回転を停止できるまでの待ち時間中、各発光部２ａ〜２ｄの発光により操作キー４の透明部４ａ〜４ｄが反時計回りにクルクル回転するように点灯し、回転する方向が起動時と相異するため、ユーザは容易に受電が遮断（動作が停止）されるまでの待ち状態であることを認識できる。また、メイン制御部２１は、温度低下信号を受け取ると待機電力供給状態になるように電源部２４を制御する処理も行う。
【００５６】
なお、上述した説明では起動完了まで各発光体２ａ〜２ｄを時計回りに発光させ、ファン１７の回転停止まで各発光体２ａ〜２ｄを反時計回りに発光させているが、メモリ部２６のプログラム内容を変更することで、起動完了まで各発光体２ａ〜２ｄを反時計回りに発光させ、ファン１７の回転停止まで各発光体２ａ〜２ｄを時計回りに発光させることも可能になる。
【００５７】
また、本実施形態のプロジェクタ装置１は、ファン１７に対し高速回転モード及び静音回転モードを切替可能にしているため、電源ボタン６をオフする操作が一回行われたときは高速回転モード、電源ボタン６をオフする操作が２回行われたときは静音回転モードに設定するようにしている。このような設定に係る処理はメイン制御部２１が回転速度設定手段として行っている。電源ボタン６のオフ操作により各モードが設定されると、メイン制御部２１は設定したモードに応じてファン１７を回転させる指示信号をファン制御部１９へ出力する。
【００５８】
また、メイン制御部２１は、ファン１７の回転速度に応じて各発光部２ａ〜２ｄの発光時間を変更する時間変更手段としても機能している。具体的には、高速回転モードに設定された場合、メイン制御部２１は図６に示す各発光部２ａ〜２ｄの点灯時間ｔ１〜ｔ４をタイマ部２３で適宜変更し各発光部２ａ〜２ｄの点灯が一巡する時間Ｔ１を高速回転モードのファン１７の回転速度に対応した時間に合致するように変更する処理を行う。さらに、静音回転モードに設定された場合、メイン制御部２１は各発光部２ａ〜２ｄの点灯時間ｔ１〜ｔ４を高速回転モード時よりタイマ部２３で長く変更し、各発光部２ａ〜２ｄの点灯が一巡する時間Ｔ１を静音回転モードのファン１７の回転速度に対応した時間に合致するように変更する処理を行う。
【００５９】
メイン制御部２１が上述したように各発光部２ａ〜２ｄの点灯時間を変更することで、操作キー４の透明部４ａ〜４ｄがクルクル回転するように点灯するときの回転速度が、ファン１７の回転速度に連動する。その結果、電源ボタン６がオフされてスクリーンに何も投映されない状態になっても、透明部４ａ〜４ｄの点灯に係る回転速度を見ることで設定されているファン１７の回転モードをユーザが容易に確認できるようになる。
【００６０】
また、メイン制御部２１は照度変更手段としても機能しており、例えば、信号出力部１６から異常信号を受け取ると、図７に示すように各発光部２ａ〜２ｄの全てを同時に最大の照度で点灯（フル点灯）させ、その後時間の経過と共に照度を落としていき、消灯まで照度が落ちると、再度フル点灯させ、以降上述した発光状態を繰り返す指示信号をＤ／Ａ変換部２５へ出力する。各発光部２ａ〜２ｄが上述した発光を行うことにより、プロジェクタ装置１はランプ１３に異常が発生していることをユーザに速やかに伝えることができる。
【００６１】
さらに、本実施形態に係るプロジェクタ装置１は、光源用のランプ１３の照度の切替を、第１操作スイッチ３ａが操作されると、メイン制御部２１は照度設定手段としてランプ１３の照度を上げる方向に設定し、第３操作スイッチ３ｃが操作されると、照度を下げる方向に設定することで行う。このようにランプ１３の照度が設定されると、メイン制御部２１は設定した照度でランプ１３を点灯させる指示信号をランプ１３へ出力するため、ランプ１３は設定された照度で点灯する。
【００６２】
また、ランプ１３の照度を新たに設定した場合、メイン制御部２１は照度変更手段としてランプ１３の照度に対応した発光照度で各発光部２ａ〜２ｄを時計回りに順次点灯させる処理を行う。
【００６３】
図８（ａ）は、ランプ１３の照度を低い方に設定した場合の各発光部２ａ〜２ｄの発光形態を示すタイムチャートである。この場合、メイン制御部２１は、フル点灯の半分の照度で各発光部２ａ〜２ｄを時計回りに順次所要回数点灯させる指示信号をＤ／Ａ変換部２５へ出力する。また、図８（ｂ）は、ランプ１３の照度を高い方に設定した場合の発光形態を示すタイムチャートである。この場合、メイン制御部２１は、フル点灯の照度で各発光部２ａ〜２ｄを時計回りに順次所要回数点灯させる指示信号をＤ／Ａ変換部２５へ出力する。よって、ランプ１３の照度切替時には上述した発光照度で各発光部２ａ〜２ｄが点灯するため、ユーザはスクリーンに投映された設定内容を見るまでもなく、各発光部２ａ〜２ｄの発光照度により直ちにランプ１３の設定された照度を確認できる。
【００６４】
また、本実施形態に係るプロジェクタ装置１は、第２操作スイッチ３ｂが操作されるとスピーカから出力する音量を上昇させると共に、第４操作スイッチ３ｄが操作されると音量を低下させるようにメイン制御部２１は処理を行う。このように音量調整に対して第２操作スイッチ３ｂ及び第４操作スイッチ３ｄが操作されると、メイン制御部２１は各発光部２ａ〜２ｄの発光照度を変更させながら順次点灯させる処理を行う。
【００６５】
図９は、第２操作スイッチ３ｂの操作により音量が上昇する場合の各発光部２ａ〜２ｄの発光形態を示すタイムチャートである。図９に示す発光形態は、基本的に図４の発光形態と同様であるが、図９に示す発光形態では消灯とフル点灯との間の発光照度を徐々に変化させると共に、各発光部２ａ〜２ｄの点灯を重ねて行っている点が相異する。例えば、第１発光部２ａをフル点灯の状態から照度を低下させた時点より、第２発光部２ｂを照度が上昇するように点灯を開始し、第１発光部２ａが消灯した時点で第２発光部２ｂがフル点灯するようにメイン制御部２１は発光形態を制御している。また、第２発光部２ｂと第３発光部２ｃも上記と同様に点灯させ、さらに、第３発光部２ｃと第４発光部２ｄも上記と同様に発光させ、メイン制御部２１は、以降同様に各発光部２ａ〜２ｄを所要回数点灯させる制御を行う。
【００６６】
各発光部２ａ〜２ｄを図９に示すような発光形態にすることで、図４に示すような発光状態に比べて、点灯による回転がクルクルではなく滑らかに回転するように見える。そのため、音量の上昇に合わせて点灯がスムーズに回転する発光形態となり、ユーザは音量を上昇する操作を明確に認識できる。なお、音量を低下させる場合、プロジェクタ装置１は、図９に示す発光形態で発光の方向を図６に示すように反時計回りにしている。
【００６７】
また、メイン制御部２１は、ファン１７の異常をパルス信号の有無により検知した場合、図１０（ａ）に示す発光形態で各発光部２ａ〜２ｄを点灯させる点滅発光手段としても機能している。この場合、各発光部２ａ〜２ｄの全ては点灯及び消灯を繰り返して点滅発光を行うため、ユーザは容易にファン１７の異常を認知することができる。
【００６８】
さらに、メイン制御部２１は、温度センサ１４から高温通知信号を受け取った場合、図１０（ｂ）で示すように、第１発光部２ａ及び第３発光部２ｃのみが点灯及び消灯を繰り返して点滅発光する処理を行う。このように第１発光部２ａ及び第３発光部２ｃを点滅発光させることでユーザはランプ１３が規定以上に高温になっていることを一目で把握できる。
【００６９】
上述したように本実施形態のプロジェクタ装置１は、各発光部２ａ〜２ｄの発光形態により、起動完了までの待ち時間、装置の動作が停止できるまでの待ち時間、装置の動作状況及び異常等を表現できるため、ユーザは上述した装置の各状況を即座に認識でき、特に、プロジェクタ装置１がスクリーンに表示できない状況でもユーザに現在の状況を伝えることが可能になる。なお、本実施形態のプロジェクタ装置１はあくまで一例であり、上述した形態に限定されるものではなく、種々の変形例の適用が可能である。
【００７０】
例えば、プロジェクタ装置１の待ち時間、動作状況及び異常等に対し、図４、６等に示す各タイムチャートに係る発光形態を上述した各状況と相異する関係で対応させてもよい。例えば、ランプ１３の異常の場合、図７のタイムチャートに示す発光形態ではなく、他のタイムチャートに示す発光形態を適用してもよく、音量調整に対しても図９以外のタイムチャートに係る発光形態を適用することも可能である。
【００７１】
また、各発光形態を適宜組み合わせて各発光部２ａ〜２ｄを点灯させることも可能であり、さらには、新たな別の発光形態も適用できる。例えば、図４に係る発光形態と図６に係る発光形態を組み合わせて、時計回りに一回発光すると、次の回転は反時計回りに発光させる形態も可能であり、時計回り又は反時計回りに一回発光させると全ての発光部２ａ〜２ｄを所定時間消灯することを繰り返し行うような発光形態も適用できる。
【００７２】
さらに、プロジェクタ装置１のズーム用モータ１１ａを動作させるとき、フォーカス用モータ１１ｂを動作させるとき、外部のデータ入力対象を入力切替部２８で切替を行うような時に対しても、上述した各種発光形態のいずれかを適用するようにしてもよい。また、プロジェクタ装置１は、起動完了までの待ち時間のみに対して時計回り又は反時計回りの発光形態を適用するようにしてもよく、さらには、動作停止できる状態になるまでの待ち時間のみに対して反時計回り又は時計回りの発光形態を適用してもよい。
【００７３】
また、図１１（ａ）に示すように、各発光部には発光色が相異する２個の発光ダイオード３０ａ、３０ｂを内蔵した発光部３０を適用するようにしてもよく、このような発光部３０を用いた場合、更に発光形態を豊富にできる。図１１（ｂ）はオレンジ色と青色の発光色を切り替えることが可能な図１１（ａ）に示す構成の発光部３０を用いた場合の発光形態の一例を示すタイムチャートである。この場合、メイン制御部２１は発光色変更手段として機能し、プロジェクタ装置１の動作状況に応じて、計４個の各発光部を時計回りに最初はオレンジ点灯させ、次の回転では青点灯を行うことを繰り返す制御を行う。なお、発光色の切替は、図１１（ａ）に示す発光部３０以外にも、発光ダイオードに印加する電圧値を変更することにより発光色が変化するものを発光部として適用した場合でも実現できる。
【００７４】
さらに、発光部の個数は４個に限定されるものではなく３個以上であれば適用可能である。例えば、図１２（ａ）に示すように、３個の発光部３１ａ〜３１ｃを、環状を形成するように配置した場合でも、上述したような各種発光形態を実現できる。なお、図１２（ａ）では、各発光部３１ａ〜３１ｃに独立した三角形状の透明な操作キー３２ａ〜３２ｃを設け、図示しない各発光部３１ａ〜３１ｃに付設した操作スイッチを操作できるようにして、操作スイッチの配置効率を高めると共に操作性も向上している。また、操作スイッチが不要であれば、図１２（ｂ）に示すように、計５個の発光部３５ａ〜３５ｅのみを、環状を形成するように配置してもよく、このような配置形態でも上述した各種発光形態を実現できる。
【００７５】
さらに、また、本発明に係る発光形態を適用できる電気機器の対象は、プロジェクタ装置に限定されるものではなく、パーソナルコンピュータ、デジタルカメラのような撮像装置及びオーディオ／ビジュアル装置等のように、電源スイッチ／電源ボタンをオンする操作をしてから起動完了まで待ち時間を要する電気機器、電源スイッチ／電源ボタンをオフする操作をしてから動作停止まで待ち時間を要する電気機器にも好適に用いることができる。さらには、動作状況及び異常等を示すために液晶表示部を備える電子レンジ、冷蔵庫、エアコンディショナー等の電気機器に対しても液晶表示部を廃止して上述した環状を形成するように発光部を配置して動作状況及び異常等を表現できるようにしてもよく、また、テレビ装置にも本発明に係る環状配置の発光部を適用して、動作状況及び異常等を表示するようにしてもよい。
【図面の簡単な説明】
【００７６】
【図１】本発明の実施形態に係るプロジェクタ装置の斜視図である。
【図２】（ａ）は、図１におけるＡ−Ａ線の要部断面図であり、（ｂ）は操作キーが操作された状態を示す断面図である。
【図３】プロジェクタ装置の内部構成を示すブロック図である。
【図４】発光部を時計回りに点灯させる発光形態を示すタイムチャートである。
【図５】発光部を時計回りに順次点灯させる状況を示す概略図である。
【図６】発光部を反時計回りに点灯させる発光形態を示すタイムチャートである。
【図７】発光部をフル点灯から消灯まで発光照度を変更させる発光形態を示すタイムチャートである。
【図８】（ａ）は発光照度を低くした場合の発光形態を示すタイムチャートであり、（ｂ）は発光照度をフル点灯した場合の発光形態を示すタイムチャートである。
【図９】発光照度を変更させながら時計回りに点灯させる発光形態を示すタイムチャートである。
【図１０】（ａ）は全ての発光部を点滅発光させる発光形態を示すタイムチャートであり、（ｂ）は２個の発光部のみを点滅発光させる発光形態を示すタイムチャートである。
【図１１】（ａ）は変形例に係る発光部の構成を示す概略図であり、（ｂ）は発光色を変更して点灯させる発光形態を示すタイムチャートである。
【図１２】（ａ）（ｂ）は変形例の発光部の配置状況を示す概略図である。
【符号の説明】
【００７７】
１  プロジェクタ装置
２ａ〜２ｄ  発光部
３ａ〜３ｄ  操作スイッチ
４  操作キー
４ａ〜４ｄ  透明部
６  電源ボタン
９  レンズ部
１３  ランプ
１４  温度センサ
１６  信号出力部
１７  ファン
１８  パルス信号出力部
１９  ファン制御部
２０  システムコントロール部
２１  メイン制御部
２４  電源部
２５  Ｄ／Ａ変換部
２６  メモリ部
２８  入力切替部
【図１】
2005195970.tif 000003
【図２】
2005195970.tif 000004
【図３】
2005195970.tif 000005
【図４】
2005195970.tif 000006
【図５】
2005195970.tif 000007
【図６】
2005195970.tif 000008
【図７】
2005195970.tif 000009
【図８】
2005195970.tif 000010
【図９】
2005195970.tif 000011
【図１０】
2005195970.tif 000012
【図１１】
2005195970.tif 000013
【図１２】
2005195970.tif 000014